(57)【要約】【課題】  発光パターンの変更の操作を容易にして操作性を向上させるとともに、発光ダイオードの組付けも容易にして組立て作業効率の向上を図る。【解決手段】  中空状のハウジング１の開口２を覆って設けられる透光性の表示板１０と、ハウジング１内に設けられ発光ダイオードを有した発光体２０とを備え、発光体２０を、Ｒ，Ｇ，Ｂの発光ダイオードを集合させたフルカラーＬＥＤチップを複数搭載したＬＥＤモジュール２３で構成し、発光体２０の予め定めた複数の発光パターンに夫々対応した発光指令信号を送信する発光指令信号送信部３１と、この発光指令信号に対応する発光パターンに従ってフルカラーＬＥＤチップの各Ｒ，Ｇ，Ｂの発光ダイオードを発光制御する発光体制御部４０とを備え、発光指令信号送信部３１を、発光指令信号を無線で送信するリモートコントローラＲＣで構成した。【選択図】  図１
0003156756.tif 000002
【実用新案登録請求の範囲】
【請求項１】
開口を有した中空状のハウジングと、該ハウジングの開口を覆って設けられる透光性の表示板と、上記ハウジング内に設けられ発光ダイオードを有した発光体とを備えた看板装置において、
上記発光体を、Ｒ，Ｇ，Ｂの発光ダイオードを集合させたフルカラーＬＥＤチップを複数搭載したＬＥＤモジュールで構成し、
上記発光体の予め定めた複数の発光パターンに夫々対応した発光指令信号を送信する発光指令信号送信部と、該発光指令信号送信部から送信された発光指令信号に対応する発光パターンに従って上記ＬＥＤモジュールのフルカラーＬＥＤチップの各Ｒ，Ｇ，Ｂの発光ダイオードを発光制御する発光体制御部とを備え、
上記発光指令信号送信部を、発光指令信号を無線で送信するリモートコントローラで構成したことを特徴とする看板装置。
【請求項２】
上記発光体制御部を、種類の異なる発光パターンを記憶する発光パターン記憶手段と、上記リモートコントローラから送信された発光指令信号に対応した発光パターンを上記発光パターン記憶手段から選択する発光パターン選択手段と、該発光パターン選択手段によって選択された発光パターンに従って上記ＬＥＤモジュールのフルカラーＬＥＤチップの各Ｒ，Ｇ，Ｂの発光ダイオードを発光駆動する駆動手段とを備えて構成したことを特徴とする請求項１記載の看板装置。
【請求項３】
上記ＬＥＤモジュールを、上記フルカラーＬＥＤチップが所定間隔で列設された可撓性の帯状基板と、該帯状基板を挿通させて被覆する透光性の可撓性樹脂チューブとを備えて構成したことを特徴とする請求項１または２記載の看板装置。
【請求項４】
上記ハウジングを、上記開口を形成する外枠と、該外枠の内側に設けられ解放口を有した内枠と、上記外枠及び内枠の後側を塞ぐ背面板とを備えて構成し、上記外枠と内枠との間の外側空間に、上記ＬＥＤモジュールをその長手方向が上記外側空間に沿うように配置し、上記内枠の内側の内側空間に、光を照射する照射体を設けたことを特徴とする請求項３記載の看板装置。
【請求項５】
上記ＬＥＤモジュールを、そのフルカラーＬＥＤチップの発光面が上記外枠の内側面若しくは上記内枠の外側面に対峙するように配置するとともに、該外枠の内側面，内枠の外側面，外枠と内枠との間の外側空間に臨む背面板の表面を光が反射する反射面に形成したことを特徴とする請求項４記載の看板装置。
【請求項６】
上記照射体を、上記発光体と同じＬＥＤモジュールで構成したことを特徴とする請求項４または５記載の看板装置。
【請求項７】
上記発光パターンとして、種類の異なる複数の色のうちから選択されるいずれかの色を発光させる単色発光パターン、種類の異なる複数の色を予め定めた順番に従って順次切り替えて発光させる色別発光パターン、色彩を連続的に変化させて発光させるグラデーション発光パターンの少なくともいずれかの発光パターンを含むことを特徴とする請求項１乃至６何れかに記載の看板装置。
【請求項８】
上記表示板を、透光性の裏面板と、透光性の表面板と、上記裏面板と表面板との間に着脱可能に介装され情報が表示された透光性の表示シートとを備えて構成したことを特徴とする請求項１乃至７何れかに記載の看板装置。
【考案の詳細な説明】
【技術分野】
【０００１】
本考案は、屋内あるいは屋外に設置され広告や案内等の各種の情報を表示板に表示する看板装置に係り、特に、ハウジング内に発光ダイオードを設けて表示板を光らせる所謂内照式の看板装置に関する。
【背景技術】
【０００２】
従来、この種の看板装置としては、例えば、図７に示すように、開口１０１を有した中空状のハウジング１００と、ハウジング１００の開口１０１を覆って設けられ種々の情報が表示された透光性の表示板１０２と、ハウジング１００内に設けられる発光体１０３とを備えたものが知られている（例えば、特開２０００−３２２０１２号公報掲載）。発光体１０３としては、例えば、Ｒ（赤）、Ｇ（緑）、Ｂ（青）の三原色の光をそれぞれ発光する発光ダイオード（ＬＥＤ）１０４をボード１０５に配置したものが用いられている。この場合、Ｒ，Ｇ，Ｂの発光ダイオードを集合させたフルカラーＬＥＤチップを採用することもできる（例えば、特開２００３−５０５５５号公報等参照）。
そして、ハウジング１００に発光ダイオード１０４を発光制御するＣＰＵを有した制御部１０６を設け、この制御部１０６にキーボード等の入力手段によって発光ダイオード１０４の所定の発光パターンをプログラミングし、この制御部１０６を直接操作して所望の発光パターンにより発光ダイオード１０４を発光させるようにしている。発光パターンとしては、例えば、発光ダイオード１０４を順次点灯させたり、全ての発光ダイオード１０４を一斉に点滅させる等の各種のパターンを設けている。
【先行技術文献】
【特許文献】
【０００３】
【特許文献１】特開２０００−３２２０１２号公報
【特許文献２】特開２００３−５０５５５号公報
【考案の概要】
【考案が解決しようとする課題】
【０００４】
しかしながら、上記従来の看板装置においては、ハウジング１００に設けた制御部１０６により所定の発光パターンで発光ダイオード１０４を発光制御しているが、この制御部１０６を直接操作しなければならないので、発光パターンを変更したい場合などには、逐一、ハウジング１００を開閉して制御部１０６を操作しなければならないことから、操作性が極めて悪いという問題があった。
また、発光ダイオード１０４をボード１０５に取り付けているので、制御部１０６に対する配線が複雑になり、制御が煩雑で、その組立ても煩雑になっているという問題もある。
更には、発光ダイオード１０４が直接的に表示板１０２に対峙しているので、表示板１０２においては発光ダイオード１０４のあるところは比較的強く光り、発光ダイオード１０４と発光ダイオード１０４の間の部分は比較的弱く光って、表示板１０２からの放光ムラが生じやすいという問題もあった。
【０００５】
本考案は上記の問題点に鑑みて為されたもので、発光パターンの変更の操作を容易にして操作性を向上させるとともに、発光ダイオードの組付けも容易にして組立て作業効率の向上を図った看板装置を提供することを目的とする。また、必要に応じ、表示板からの発光ダイオードの放光ムラを防止する点も課題とした。
【課題を解決するための手段】
【０００６】
このような目的を達成するための本考案の看板装置は、開口を有した中空状のハウジングと、該ハウジングの開口を覆って設けられる透光性の表示板と、上記ハウジング内に設けられ発光ダイオードを有した発光体とを備えた看板装置において、上記発光体を、Ｒ，Ｇ，Ｂの発光ダイオードを集合させたフルカラーＬＥＤチップを複数搭載したＬＥＤモジュールで構成し、上記発光体の予め定めた複数の発光パターンに夫々対応した発光指令信号を送信する発光指令信号送信部と、該発光指令信号送信部から送信された発光指令信号に対応する発光パターンに従って上記ＬＥＤモジュールのフルカラーＬＥＤチップの各Ｒ，Ｇ，Ｂの発光ダイオードを発光制御する発光体制御部とを備え、上記発光指令信号送信部を、発光指令信号を無線で送信するリモートコントローラで構成している。
【０００７】
本装置を作動させるときは、発光指令信号送信部としてのリモートコントローラによって、所望の発光パターンに対応する発光指令信号を送信する。これにより、発光体制御部においては、リモートコントローラから送信された発光指令信号に対応する発光パターンに従ってＬＥＤモジュールのフルカラーＬＥＤチップの各Ｒ，Ｇ，Ｂの発光ダイオードを発光制御する。その結果、所望の発光パターンで発光ダイオードが発光するので、透光性の表示板を通して色表示が行われる。また、発光パターンを変更したいときは、上記と同様に、発光指令信号送信部としてのリモートコントローラによって、所望の別の発光パターンに対応する発光指令信号を送信する。これにより、発光体制御部においては、リモートコントローラから送信された発光指令信号に対応する別の発光パターンに従ってＬＥＤモジュールのフルカラーＬＥＤチップの各Ｒ，Ｇ，Ｂの発光ダイオードを発光制御する。その結果、所望の別の発光パターンで発光ダイオードが発光するので、透光性の表示板を通して色表示が行われる。このようにして、リモートコントローラの遠隔操作で発光パターンを選択したり変更できるので、従来のように、制御部を逐一直接操作して発光パターンを変更する煩雑な作業を行わなくてもよくなり、それだけ、操作性が大幅に向上させられる。
【０００８】
また、本装置の組み立ての際には、発光体を、Ｒ，Ｇ，Ｂの発光ダイオードを集合させたフルカラーＬＥＤチップを複数搭載したＬＥＤモジュールで構成したので、ＬＥＤモジュールを所要の部位に配置するだけで、発光ダイオードの組付けを行うことができ、従来のように発光ダイオードを一個ずつボードに逐一配線する手間が不要になり、そのため、組立て作業効率が大幅に向上する。
【０００９】
そして、必要に応じ、上記発光体制御部を、種類の異なる発光パターンを記憶する発光パターン記憶手段と、上記リモートコントローラから送信された発光指令信号に対応した発光パターンを上記発光パターン記憶手段から選択する発光パターン選択手段と、該発光パターン選択手段によって選択された発光パターンに従って上記ＬＥＤモジュールのフルカラーＬＥＤチップの各Ｒ，Ｇ，Ｂの発光ダイオードを発光駆動する駆動手段とを備えて構成している。発光パターン記憶手段に種々の発光パターンを記憶させ、リモートコントローラからの発光指令信号により、種々の発光パターンによるバラエティに富んだ発光を行わせることができるので、選択の幅が大幅に向上させられる。
【００１０】
また、必要に応じ、上記ＬＥＤモジュールを、上記フルカラーＬＥＤチップが所定間隔で列設された可撓性の帯状基板と、該帯状基板を挿通させて被覆する透光性の可撓性樹脂チューブとを備えて構成している。ＬＥＤモジュールを所要の長さにして所要の部位に配置することができ、より一層組立て作業効率が向上する。また、フルカラーＬＥＤチップの発光ダイオードからの光は、透光性の可撓性樹脂チューブを通るので、指向性が緩和されて放光され、そのため、表示板からの発光ダイオードの放光ムラが防止され、表示板を極めて見やすくすることができる。
【００１１】
更に、必要に応じ、上記ハウジングを、上記開口を形成する外枠と、該外枠の内側に設けられ解放口を有した内枠と、上記外枠及び内枠の後側を塞ぐ背面板とを備えて構成し、上記外枠と内枠との間の外側空間に、上記ＬＥＤモジュールをその長手方向が上記外側空間に沿うように配置し、上記内枠の内側の内側空間に、光を照射する照射体を設けた構成としている。
これにより、表示板の中央部分は照射体からの光照射により発光させられ、表示板の周縁部分はＬＥＤモジュールで構成された発光体により発光させられる。この場合、表示板周囲においては、フルカラーＬＥＤチップの発光ダイオードからの光は、指向性が緩和されて放光ムラが防止されて放光されるので、周囲が見やすくなるとともに、照射体で照射された表示板の中央部分を表示板の周囲部分が枠状に囲繞するので、中央部分の表示を強調することができ、看者の注意をひきやすくすることができる。
【００１２】
また、必要に応じ、上記ＬＥＤモジュールを、そのフルカラーＬＥＤチップの発光面が上記外枠の内側面若しくは上記内枠の外側面に対峙するように配置するとともに、該外枠の内側面，内枠の外側面，外枠と内枠との間の外側空間に臨む背面板の表面を光が反射する反射面に形成した構成としている。これにより、フルカラーＬＥＤチップの発光面が外枠の内側面若しくは内枠の外側面に対峙させられているので、発光ダイオードからの光が直接的に表示板に至りにくく、主に反射面に反射して表示板に至るので、この点でも、発光ダイオードからの光の指向性が緩和されて放光ムラが防止されて、周囲を見やすくすることができる。また、外枠の内側面，内枠の外側面，背面板の表面は、光を反射する反射面に形成されているので、光が確実に表示板に至り、明るさが確保される。
【００１３】
更に、必要に応じ、上記照射体を、上記発光体と同じＬＥＤモジュールで構成している。そのため、組み立ての際には、照射体をフルカラーＬＥＤチップを複数搭載したＬＥＤモジュールで構成したので、ＬＥＤモジュールを所要の部位に配置するだけで組付けを行うことができ、この点でも、組立て作業効率が大幅に向上する。また、フルカラーＬＥＤチップの発光ダイオードからの光は、透光性の可撓性樹脂チューブを通るので、指向性が緩和されて放光され、そのため、表示板からの発光ダイオードの放光ムラが防止され、そのため、表示板の中央部分も極めて見やすくすることができる。
【００１４】
そしてまた、必要に応じ、上記発光パターンとして、種類の異なる複数の色のうちから選択されるいずれかの色を発光させる単色発光パターン、種類の異なる複数の色を予め定めた順番に従って順次切り替えて発光させる色別発光パターン、色彩を連続的に変化させて発光させるグラデーション発光パターンの少なくともいずれかの発光パターンを含む構成としている。表示板の表示に合わせて、発光パターンを選択することができ、表示板の表示をより一層強調して看者の注意をひくことができるようになる。
【００１５】
また、必要に応じ、上記表示板を、透光性の裏面板と、透光性の表面板と、上記裏面板と表面板との間に着脱可能に介装され情報が表示された透光性の表示シートとを備えて構成している。表示シートを取り換えるだけで表示板の表示情報内容を変更することができ、変更作業が容易になり、汎用性を増すことができる。
【考案の効果】
【００１６】
本考案によれば、本装置を作動させるときは、発光指令信号送信部としてのリモートコントローラによって、所望の発光パターンに対応する発光指令信号を送信すれば、この送信された発光指令信号に対応する発光パターン従ってＬＥＤモジュールのフルカラーＬＥＤチップの各Ｒ，Ｇ，Ｂの発光ダイオードが発光制御されて、透光性の表示板を通して色表示が行われるので、リモートコントローラの遠隔操作で発光パターンを選択したり変更できることから、従来のように、制御部を逐一直接操作して発光パターンを変更する煩雑な作業を行わなくてもよくなり、それだけ、操作性を大幅に向上させることができる。
【００１７】
また、本装置の組み立ての際には、発光体を、Ｒ，Ｇ，Ｂの発光ダイオードを集合させたフルカラーＬＥＤチップを複数搭載したＬＥＤモジュールで構成したので、ＬＥＤモジュールを所要の部位に配置するだけで、発光ダイオードの組付けを行うことができ、従来のように発光ダイオードを一個ずつボードに逐一配線する手間が不要になり、そのため、組立て作業効率を大幅に向上させることができる。
この場合、ＬＥＤモジュールを、フルカラーＬＥＤチップが所定間隔で列設された可撓性の帯状基板と、これを被覆する透光性の可撓性樹脂チューブとを備えて構成した場合には、ＬＥＤモジュールを所要の長さにして所要の部位に配置することができ、より一層組立て作業効率を向上させることができる。また、フルカラーＬＥＤチップの発光ダイオードからの光は、透光性の可撓性樹脂チューブを通るので、指向性が緩和されて放光され、そのため、表示板からの発光ダイオードの放光ムラが防止され、表示板を極めて見やすくすることができる。
【図面の簡単な説明】
【００１８】
【図１】本考案の実施の形態に係る看板装置を示す斜視図である。
【図２】本考案の実施の形態に係る看板装置を示す正面図である。
【図３】本考案の実施の形態に係る看板装置を示す図２中Ｘ−Ｘ線断面図である。
【図４】本考案の実施の形態に係る看板装置に設けられるＬＥＤモジュールの構成を示す切欠き斜視図である。
【図５】本考案の実施の形態に係る看板装置において発光体制御部の構成を示すブロック図である。
【図６】本考案の実施の形態に係る看板装置においてリモートコントローラの構成を示す図である。
【図７】従来の看板装置の一例を示す断面図である。
【考案を実施するための形態】
【００１９】
以下、添付図面に基づいて、本考案の実施の形態に係る看板装置について詳細に説明する。
図１乃至図３に示すように、本考案の実施の形態に係る看板装置Ｋは、開口２を有した中空状のハウジング１と、ハウジング１の開口２を覆って設けられる透光性の表示板１０と、ハウジング１内に設けられ発光ダイオード２１を有した発光体２０と、ハウジング１内に設けられ発光ダイオード２１を有した照射体２６とを備えて構成されている。
【００２０】
ハウジング１は、例えば、樹脂材，金属材，これらの複合材等で形成されており、開口２を形成する矩形状の外枠３と、外枠３の内側に設けられ解放口４を有した矩形状の内枠５と、外枠３及び内枠５の後側を塞ぐ背面板６とを備えて構成されている。そして、外枠３と内枠５との間の外側空間７に、後述の発光体２０であるＬＥＤモジュール２３がその長手方向が内枠５の外側面５ａに沿わせて配置され、内枠５の内側の内側空間８に光を照射する照射体２６が設けられている。
【００２１】
詳しくは、実施の形態では、外枠３は、例えば、内側及び外側が光を反射可能なアルミニウム板で形成され内部に樹脂が挾装された軽量の複合材で形成されている。外枠３の外側面３ａには、化粧用に別途塗装が行われる。内枠５は、外枠３と同じ複合材の内側に光を反射可能なステンレス板９を張設した２層構造に形成されている。そして、背面板６はその内側面６ａが光を反射可能な白色に形成されている。その結果、外側空間７を構成する外枠３の内側面３ｂ，内枠５の外側面５ａ，外枠３と内枠５との間の外側空間７に臨む背面板６の表面６ａは、光が反射する反射面Ｈに形成されることになる。また、内側空間８を構成する内枠５の内側５ｂ，内側空間８に臨む背面板６の表面６ａは、光が反射する反射面Ｈに形成されることになる。
【００２２】
表示板１０は、外枠３の開口２に嵌合する矩形状に形成されており、図３に示すように、透光性の裏面板１１と、透光性の表面板１２と、裏面板１１と表面板１２との間に着脱可能に介装され情報が表示された透光性の表示シート１３とを備えて構成されている。裏面板１１は例えば乳白色の塩ビなどの樹脂製板で形成される。表面板１２は例えばアクリルなどの透明の樹脂板で形成される。表示シート１３は、例えば、樹脂フィルムあるいは紙で形成され、表面に広告や案内等の各種情報が印刷などにより表示されている。この表示板１０は、例えば、内枠５の端面に対して複数の取付けボルト１４で取り付けられる。内枠５には取付けボルト１４がねじ込まれる雌ネジ１５が形成されている。
【００２３】
発光体２０は、図１，図３及び図４に示すように、Ｒ（赤）、Ｇ（緑）、Ｂ（青）の三原色の光をそれぞれ発光する発光ダイオード２１を集合させたフルカラーＬＥＤチップ２２を複数搭載したＬＥＤモジュール２３で構成されている。このＬＥＤモジュール２３は、図３及び図４に示すように、フルカラーＬＥＤチップ２２が所定間隔で直列配線されて列設された可撓性の帯状基板２４と、この帯状基板２４を挿通させて被覆する透光性で断面長方形枠状の可撓性樹脂チューブ２５とを備えて構成されており、外側空間７の長さに合わせて適宜の長さに切断して使用することができるものである。
【００２４】
そして、このＬＥＤモジュール２３は、その長手方向が外側空間７に沿うように配置され、かつ、そのフルカラーＬＥＤチップ２２の発光面２２ａが外枠３の内側面３ｂに対峙するように配置され、内枠５の外側面にビスなどで固定されている。
【００２５】
一方、照射体２６も、図１，図３及び図４に示すように、発光体２０と同じように、Ｒ（赤）、Ｇ（緑）、Ｂ（青）の三原色の光をそれぞれ発光する発光ダイオード２１を集合させたフルカラーＬＥＤチップ２２を複数搭載したＬＥＤモジュール２３で構成されている。そして、この照射体２６を構成するＬＥＤモジュール２３は、所定長さのものが複数直列接続されており、そのフルカラーＬＥＤチップ２２の発光面２２ａが表示板１０に対峙するように背面板６に略均等になるように分散配置され、ビスなどで固定されている。実施の形態では、照射体２６のＬＥＤモジュール２３のフルカラーＬＥＤチップ２２は、ハウジング１内に設けられた電源部３０（図１）に直接接続されており、電源部３０からの電源供給により、常時白色光を発光するように設定されている。
【００２６】
また、実施の形態に係る看板装置Ｋは、図１，図５及び図６に示すように、発光体２０の予め定めた複数の発光パターンに夫々対応した発光指令信号を送信する発光指令信号送信部３１と、発光指令信号送信部３１から送信された発光指令信号に対応する発光パターンに従ってＬＥＤモジュール２３のフルカラーＬＥＤチップ２２の各Ｒ，Ｇ，Ｂの発光ダイオード２１を発光制御する発光体制御部４０とを備えている。そして、発光指令信号送信部３１は、発光指令信号を赤外線や電波等の無線で送信するリモートコントローラＲＣ（ｒｅｍｏｔｅ  ｃｏｎｔｒｏｌｌｅｒ）で構成されている。
【００２７】
発光体制御部４０は、図１に示すように、ハウジング１内に設けられており、図５に示すように、種類の異なる発光パターンを記憶する発光パターン記憶手段４１と、リモートコントローラＲＣから送信された発光指令信号に対応した発光パターンを発光パターン記憶手段４１から選択する発光パターン選択手段４２と、発光パターン選択手段４２によって選択された発光パターンに従ってＬＥＤモジュール２３のフルカラーＬＥＤチップ２２の各Ｒ，Ｇ，Ｂの発光ダイオード２１を発光駆動する駆動手段４３とを備えて構成されている。発光体制御部４０には、リモートコントローラＲＣから送信された発光指令信号を受信するセンサ３２（図１）が接続されている。この発光体制御部４０は、電源部３０に接続され、その機能は、ＣＰＵ等の機能によって実現される。
【００２８】
また、発光パターンとしては、例えば、種類の異なる複数の色（実施の形態では１６種類の色）のうちから選択されるいずれかの色を発光させる単色発光パターンがある。単色発光パターンの色としては、Ｒ（赤）、Ｇ（緑）、Ｂ（青）、Ｗ（白）の他に、スペクトルの順に設けられた１２種類の色が設けられている。また、発光パターンとしては、種類の異なる複数の色を予め定めた順番に従って所定切替時間で順次切り替えてループ状に発光させる色別発光パターンがあり、所定切替時間が比較的短い、例えば、４秒で切り替える第１色別発光パターン（ＦＬＡＳＨ）と、所定切替時間が比較的長い、例えば、６０秒で切り替える第２色別発光パターン（ＳＴＯＲＯＢＯ）とがある。更に、色彩を所定のサイクル時間でループ状に連続的に変化させて発光させるグラデーション発光パターンがあり、サイクル時間が比較的短い、例えば、２０秒で１サイクルする第１グラデーション発光パターン（ＦＡＤＥ）と、サイクル時間が比較的長い、例えば、９０秒で１サイクルする第２グラデーション発光パターン（ＳＭＯＯＴＨ）とがある。これらの発光パターンは、予め制御部にプログラミングされ、各フルカラーＬＥＤチップ２２は全て同一の発光パターンに従って発光を行う。
【００２９】
リモートコントローラＲＣにおいては、図６に示すように、上記の予め定めた複数の発光パターンに夫々対応した発光指令信号を送信するための押釦ボタンを備えている。即ち、１６種類の色別発光パターンに対応した押釦ボタン（Ｃ１〜Ｃ１６）、第１色別発光パターン（ＦＬＡＳＨ）に対応した押釦ボタンＢ１、第２色別発光パターン（ＳＴＯＲＯＢＯ）に対応した押釦ボタンＢ２、第１グラデーション発光パターン（ＦＡＤＥ）に対応した押釦ボタンＧ１、第２グラデーション発光パターン（ＳＭＯＯＴＨ）に対応した押釦ボタンＧ２を備えている。
【００３０】
また、リモートコントローラＲＣは、発光体２０のＬＥＤモジュール２３においてフルカラーＬＥＤチップ２２の各Ｒ，Ｇ，Ｂの発光ダイオード２１の明るさを二段階で変更させるための明度ボタンＭ１，Ｍ２、発光ダイオード２１の電源をオンするためのオンボタンＳ１、電源をオフするためのオフボタンＳ２を備えている。上記の発光体制御部４０は、明度ボタンＭ１，Ｍ２の押釦により、発光ダイオード２１の明るさを変更する機能、オンボタンＳ１の押釦により発光ダイオード２１への電源を供給する機能、オフボタンＳ２の押釦により発光ダイオード２１への電源供給を停止する機能を備えている。
【００３１】
従って、この実施の形態に係る看板装置Ｋを組み立てるときは、予めハウジング１を作成しておき、このハウジング１の外側空間７に、発光体２０を構成するＬＥＤモジュール２３を、その長手方向が外側空間７に沿うように、かつ、そのフルカラーＬＥＤチップ２２の発光面２２ａが外枠３の内側面３ｂに対峙するように配置して内枠５の外側面５ａにビスなどで固定する。また、このハウジング１の内側空間８に、照射体２６を構成し所定長さのものが複数直列接続されたＬＥＤモジュール２３を、そのフルカラーＬＥＤチップ２２の発光面２２ａが表示板１０に対峙するように背面板６の所定位置に配置してビスなどで固定する。また、ハウジング１に予め発光パターンをプログラミングした発光体制御部４０，電源部３０，センサ３２を組み込みＬＥＤモジュール２３に電気的接続を行う。この場合、発光体２０を、Ｒ，Ｇ，Ｂの発光ダイオード２１を集合させたフルカラーＬＥＤチップ２２を複数搭載したＬＥＤモジュール２３で構成したので、ＬＥＤモジュール２３を所要の部位に配置するだけで、発光ダイオード２１の組付けを行うことができ、従来のように発光ダイオード２１を一個ずつボードに逐一配線する手間が不要になり、そのため、組立て作業効率が大幅に向上させられる。また、照射体２６も発光体２０と同じＬＥＤモジュール２３で構成したので、ＬＥＤモジュール２３を所要の部位に配置するだけで組付けを行うことができ、この点でも、組立て作業効率が大幅に向上させられる。
【００３２】
次に、表示板１０を組付ける。この場合、予め表示シート１３に広告や案内等の各種情報を印刷などにより表示しておき、この表示シート１３を裏面板１１と表面板１２との間に介装し、この表示板１０を、ハウジング１の外枠３に嵌め込んで内枠５に対して複数の取付けボルト１４で取り付ける。この場合、表示シート１３を裏面板１１と表面板１２との間に介装して取付けボルト１４で取り付けるだけで表示板１０を組み付けることができるので、組み付け作業がきわめて簡単に行われる。
【００３３】
このようにして組立てられた実施の形態に係る看板装置Ｋを作動させるときは、まず、電源部３０をオンにする。これにより、照射体２６のフルカラーＬＥＤチップ２２が点灯して白色光を表示板１０に向けて照射する。この照射により表示板１０の中央部分に表示された情報が明瞭になる。この場合、照射体２６のフルカラーＬＥＤチップ２２の発光ダイオード２１からの光は、透光性の可撓性樹脂チューブ２５を通るので、指向性が緩和されて放光され、そのため、表示板１０からの発光ダイオード２１の放光ムラが防止され、そのため、表示板１０の中央部分が極めて見やすくなる。
【００３４】
次に、リモートコントローラＲＣを操作して、オンボタンＳ１を押釦し、発光体２０のＬＥＤモジュール２３においてフルカラーＬＥＤチップ２２の各Ｒ，Ｇ，Ｂの発光ダイオード２１に通電するとともに、明度ボタンＭ１，Ｍ２の何れかを選択して押釦し、発光ダイオード２１の明るさを決定する。そしてまた、押釦ボタン（Ｃ１〜Ｃ１６）、押釦ボタンＢ１、押釦ボタンＢ２、押釦ボタンＧ１、押釦ボタンＧ２の何れかを押釦して、発光パターンを選択する。これにより、発光体制御部４０においては、リモートコントローラＲＣから送信された発光指令信号に対応する発光パターンに従ってＬＥＤモジュール２３のフルカラーＬＥＤチップ２２の各Ｒ，Ｇ，Ｂの発光ダイオード２１を発光制御する。例えば、押釦ボタンＣ２を押釦すれば、緑色の単色発光パターンとなり、各フルカラーＬＥＤチップ２２から緑色の光が発光される。また、例えば、押釦ボタンＧ１を押釦すれば、第１グラデーション発光パターン（ＦＡＤＥ）となり、各フルカラーＬＥＤチップ２２から発光される色彩が所定のサイクル時間でループ状に連続的に変化させて発光される。発光ダイオード２１が発光すると、透光性の表示板１０の周囲を通して色表示が行われる。この場合、リモートコントローラＲＣの遠隔操作で発光パターンを選択できるので、従来のように、制御部を逐一直接操作して発光パターンを設定する煩雑な作業を行わなくてもよくなり、それだけ、操作性が大幅に向上させられる。
【００３５】
この状態では、表示板１０の中央部分は照射体２６からの光照射により発光させられ、表示板１０の周縁部分はＬＥＤモジュール２３で構成された発光体２０により発光させられる。この場合、照射体２６で照射された表示板１０の中央部分を表示板１０の周囲部分が枠状に囲繞するので、中央部分の表示を強調することができ、看者の注意をひきやすくすることができる。表示板１０周囲においては、フルカラーＬＥＤチップ２２の発光ダイオード２１からの光は、透光性の可撓性樹脂チューブ２５を通るので、指向性が緩和されて放光され、そのため、表示板１０からの発光ダイオード２１の放光ムラが防止され、表示板１０を極めて見やすくすることができる。更に、フルカラーＬＥＤチップ２２の発光面２２ａが外枠３の内側面３ｂに対峙させられているので、発光ダイオード２１からの光が直接的に表示板１０に至りにくく、主に反射面Ｈに反射して表示板１０に至るので、この点でも、発光ダイオード２１からの光の指向性が緩和されて放光ムラが防止されて、周囲を見やすくすることができる。また、外枠３の内側面３ｂ，内枠５の外側面５ａ，背面板６の表面６ａは、光を反射する反射面Ｈに形成されているので、光が確実に表示板１０に至り、明るさが確保される。
【００３６】
また、発光パターンを変更したいときは、上記と同様に、リモートコントローラＲＣによって、押釦ボタン（Ｃ１〜Ｃ１６）、押釦ボタンＢ１、押釦ボタンＢ２、押釦ボタンＧ１、押釦ボタンＧ２の何れかを押釦して、発光パターンを選択する。これにより、発光体制御部４０においては、リモートコントローラＲＣから送信された発光指令信号に対応する別の発光パターンに従ってＬＥＤモジュール２３のフルカラーＬＥＤチップ２２の各Ｒ，Ｇ，Ｂの発光ダイオード２１を発光制御する。このようにして、リモートコントローラＲＣの遠隔操作で発光パターンを変更できるので、従来のように、制御部を逐一直接操作して発光パターンを変更する煩雑な作業を行わなくてもよくなり、それだけ、操作性が大幅に向上させられる。
【００３７】
更にまた、表示板１０の表示を変更したいときは、ハウジング１から表示板１０を取り外して、表示シート１３を別の表示の表示シート１３と交換し、再び、ハウジング１に表示板１０を取り付ける。この場合、表示シート１３を取り換えるだけで表示板１０の表示情報内容を変更することができ、変更作業が容易になり、汎用性を増すことができる。
【００３８】
尚、上記実施の形態に係る看板装置Ｋにおいて、外側空間７において、ＬＥＤモジュール２３を、そのフルカラーＬＥＤチップ２２の発光面２２ａが外枠３の内側面３ｂに対峙するように内枠５の外側面５ａに設けたが、必ずしもこれに限定されるものではなく、ＬＥＤモジュール２３を、そのフルカラーＬＥＤチップ２２の発光面２２ａが内枠５の外側面５ａに対峙するように外枠３の内側面３ｂに設けてもよく、適宜変更して差し支えない。
また、上記実施の形態において、照射体２６のＬＥＤモジュール２３のフルカラーＬＥＤチップ２２は、電源投入とともに発光するように制御しているが、必ずしもこれに限定されるものではなく、リモートコントローラＲＣの指令によって発光制御するようにしてもよく、適宜変更して差し支えない。
【００３９】
更に、上記実施の形態においては、発光体２０を表示板１０の周囲に設けたが、必ずしもこれに限定されるものではなく、中央部に設けるなど、どのように配置してもよい。
更にまた、上記実施の形態においては、表示板１０は、ハウジング１の表側に設けているが、必ずしもこれに限定されるものではなく、裏側にも設けて両面仕様としてもよい。
また、上記実施の形態においては、表示板１０を、取付けボルト１４によりハウジング１に取り付けるようにしているが、必ずしもこれに限定されるものではなく、ハウジング１に対してヒンジを介して開閉可能に設けてもよく、適宜変更して差し支えない。
尚また、上記実施の形態において、発光パターンは上述したものに限定されるものではなく、例えば、単色発光において、これを点滅させたりするなど、発光パターンをどのように設定しても良いことは勿論である。
【符号の説明】
【００４０】
Ｋ  看板装置
１  ハウジング
２  開口
３  外枠
３ａ  外側面
３ｂ  内側面
５  内枠
５ａ  外側面
５ｂ  内側面
６  背面板
６ａ  表面
７  外側空間
８  内側空間
Ｈ  反射面
１０  表示板
１１  裏面板
１２  表面板
１３  表示シート
１４  取付けボルト
２０  発光体
２１  発光ダイオード
２２  フルカラーＬＥＤチップ
２３  ＬＥＤモジュール
２４  帯状基板
２５  チューブ
２６  照射体
３０  電源部
３１  発光指令信号送信部
３２  センサ
ＲＣ  リモートコントローラ
４０  発光体制御部
４１  発光パターン記憶手段
４２  発光パターン選択手段
４３  駆動手段
Ｃ１〜Ｃ１６  押釦ボタン
Ｂ１  押釦ボタン（ＦＬＡＳＨ）
Ｂ２  押釦ボタン（ＳＴＯＲＯＢＯ）
Ｇ１  押釦ボタン（ＦＡＤＥ）
Ｇ２  押釦ボタン（ＳＭＯＯＴＨ）
Ｍ１，Ｍ２  明度ボタン
Ｓ１  オンボタン
Ｓ２  オフボタン
【図１】
0003156756.tif 000003
【図２】
0003156756.tif 000004
【図３】
0003156756.tif 000005
【図４】
0003156756.tif 000006
【図５】
0003156756.tif 000007
【図６】
0003156756.tif 000008
【図７】
0003156756.tif 000009